(57)【要約】【課題】表示素子を保護しうる平板表示装置及びその製造方法を提供する。【解決手段】 基板上に位置する表示素子と、前記表示素子を封止する封止基板と、前記封止基板上に位置する導電膜と、前記導電膜上に位置する異方性導電体と、前記異方性導電体と接するベゼル(Bezel)と、を備える。【選択図】  図２
2006146155.tif 000002
【特許請求の範囲】
【請求項１】
基板上に位置する表示素子と、
前記表示素子を封止する封止基板と、
前記封止基板上に位置する導電膜と、
前記導電膜上に位置する異方性導電体と、 
前記異方性導電体と接するベゼル(Bezel)とを備える平板表示装置。
【請求項２】
前記導電膜は、透明である請求項１に記載の平板表示装置。
【請求項３】
前記導電膜は、 ITO（Indium Tin Oxide）、IZO（Indium Zinc Oxide）、IO（Indium Oxide）、 TO（Tin Oxide）及びZnOからなる群から選ばれた一つである請求項１に記載の平板表示装置。
【請求項４】
前記異方性導電体は、非発光領域に位置する請求項１に記載の平板表示装置。
【請求項５】
前記異方性導電体は、ゼブラ(Zebra)である請求項１に記載の平板表示装置。
【請求項６】
前記ベゼルは、伝導性物質からなる請求項１に記載の平板表示装置。
【請求項７】
前記基板上に設けられるパッド・グランド端子を更に含む請求項１に記載の平板表示装置。
【請求項８】
前記パッド・グランド端子は、ベゼルと繋がれる請求項７に記載の平板表示装置。
【請求項９】
前記表示素子は、液晶表示素子である請求項１に記載の平板表示装置。
【請求項１０】
前記液晶表示素子は、 IPSモードで用いられる請求項９に記載の平板表示装置。
【請求項１１】
基板上に表示素子を形成することと、
前記基板を、表面に導電膜が形成された封止基板で封止することと、
前記導電膜上に異方性導電体を形成することと、 
ベゼルが前記異方性導電体と接するように前記基板を前記ベゼルに装着することとを含む平板表示装置の製造方法。
【請求項１２】
前記導電膜は、透明である請求項１１に記載の平板表示装置の製造方法。
【請求項１３】
前記導電膜は、 ITO、 IZO、 IO、 TO及びZnOからなる群から選ばれた一つである請求項１１に記載の平板表示装置の製造方法。
【請求項１４】
前記異方性導電体は、非発光領域に形成される請求項１１に記載の平板表示装置の製造方法。
【請求項１５】
前記異方性導電体は、ゼブラである請求項１１に記載の平板表示装置の製造方法。
【請求項１６】
前記ベゼルは、伝導性物質からなる請求項１１に記載の平板表示装置の製造方法。
【請求項１７】
前記基板上に、パッド・グランド端子を形成することを更に含む請求項１１に記載の平板表示装置の製造方法。
【請求項１８】
前記パッド・グランド端子は、ベゼルと繋がれる請求項１７に記載の平板表示装置の製造方法。
【請求項１９】
前記表示素子は、液晶表示素子である請求項１１に記載の平板表示装置の製造方法。
【請求項２０】
前記液晶表示素子は、IPSモードで用いられる請求項１９に記載の平板表示装置の製造方法。
【発明の詳細な説明】
【技術分野】
【０００１】
本発明は、平板表示装置及びその製造方法に関する。
【背景技術】
【０００２】
表示装置は、電子機器と人間とのインターフェースであり、各種電子機器から出力される電気的信号を人間の視覚を通じて認識できるパターン化された情報で表示する。
【０００３】
代表的な表示装置としては、陰極線管(CRT)があるが、最近では、プラズマディスプレイパネル(PDP)、 液晶表示装置(LCD)、 有機エレクトロルミネッセンス表示装置(OLED)などのような軽量、 薄型化、 低消費電力、 高解像度の特徴を有した平板表示装置が注目されてきている。
【０００４】
液晶表示装置(LCD)または有機エレクトロルミネッセンス表示装置(OLED)は、代表的に小型電子機器の表示装置として用いられ、表示素子部と外部回路とブラケットとからモジュールが構成される。
【０００５】
前記小型電子機器において、静電気は、表示装置に悪影響を及ぼす。液晶表示装置の場合、印加された電界に対して液晶が方向性を持つ。即ち、液晶表示装置は、前記方向性を持った液晶により、光の透過度を調節することで、画像を表示する。前記静電気が液晶に影響を与えるようになれば、前記電界が十分に印加され得なくなり、 それにより液晶表示素子の単位画素が破壊される可能性があり得る。
【０００６】
特に、水平電界によって駆動されるIPS(In-Plane-Switch)モードの液晶表示装置の場合、 静電気が表示装置の表面に発生することになれば、前記静電気により水平電界が破壊される。これにより、静電気が生じた部位の液晶が静電気による電界によって反応をするようになり、それにより、表示装置の画素に不良が生じることになる。
【０００７】
前記の問題を解決するための方法が、韓国特許登録第１０-０３２５０６４号に「液晶表示素子の静電気の放電方法」という題目で開示されている。前記の方法は、液晶表示素子の液晶セルの内部に伝導性高分子ネットワークを形成する方法に関することである。前記方法は、液晶と高分子物質とを混合する過程及び硬化過程の段階を経なければならないことで工程が複雑になり、 混合過程の中において液晶の特性に影響する可能性があり得る。
【発明の開示】
【発明が解決しようとする課題】
【０００８】
本発明が達成しようとする技術的課題は、平板表示装置内部の表示素子を保護し、製造工程が単純で、液晶の特性に影響を与える可能性を低減しうる平板表示装置及びその製造方法を提供することに目的がある。
【０００９】
また、液晶表示素子がIPSモードで用いられる場合に、液晶表示素子を保護して表示能力を向上することに目的がある。
【課題を解決するための手段】
【００１０】
前記技術的課題を達成するために、本発明は、基板上に位置する表示素子と、前記表示素子を封止する封止基板と、前記封止基板上に位置する導電膜と、前記導電膜上に位置する異方性導電体と、前記異方性導電体と接するベゼル(Bezel)とを備える平板表示装置を提供する。
【００１１】
前記表示素子は、液晶表示素子であってもよい。
【００１２】
前記液晶表示素子は、IPSモードで用いられても良い。
【００１３】
また、 前記技術的課題を達成するために、本発明は、基板上に表示素子を形成することと、前記基板を、表面に導電膜が形成された封止基板で封止することと、前記導電膜上に異方性導電体を形成することと、ベゼルが前記異方性導電体と接するように前記基板をベゼルに装着することとを含む平板表示装置の製造方法を提供する。
【発明の効果】
【００１４】
本発明に係る平板表示装置及びその製造方法は、静電気を外部に放出する構造を備えることで、平板表示装置内部の表示素子を保護する效果がある。
【００１５】
なお、液晶表示素子がIPSモードで用いられる場合、封止基板上に静電気を防止する構造を備えるので、液晶表示素子の駆動回路を保護し、静電気による液晶の割れ現象を減少させるのに效果がある。さらに、液晶と高分子物質とを混合する過程及び硬化過程の段階が不要となるので、工程が単純になり、液晶の特性に影響を与える可能性が低減する。
【発明を実施するための最良の形態】
【００１６】
以下、 添付の図面を参照して本発明の望ましい実施例を詳しく説明する。次に紹介される実施例は、当業者に本発明の思想が充分に伝達できるようにするために例として提供されるものである。したがって、 本発明は、以下に説明される実施例に限定されず、他の形態に具体化されることもできる。そして、 図面において、 層及び領域の長さ、 厚さなどは、便宜のために、誇張して表現されることもできる。明細書全体に亘って同一の参照番号は同一の構成要素を示す。
【００１７】
図１は、本発明の実施例による平板表示装置を示す平面図であり、 図２は、図１の Ｉ-Ｉ'に対する断面図である。図１及び図２を引用して、本発明の実施例による平板表示装置について下記のように述べる。
【００１８】
図１及び図２を参照すれば、基板２００上には表示素子１２０が位置する。前記表示素子１２０は、液晶表示素子であり、液晶表示素子は、IPSモードで用いられる液晶１２１で構成される。前記基板２００の上部には、前記表示素子１２０を封止する封止基板１００及びシール材１１０が位置する。前記封止基板１００は透明である。基板２００の裏面には、偏光膜２０５が設けられ、基板２００の表面には、共通電極２１０及び画素電極２１２が設けられる。
【００１９】
前記封止基板１００の表面には、偏光膜１０５及び導電膜１５０が位置する。前記導電膜１５０は、透明であり、ITO、IZO、IO、TO及びZnOのうち、何れか１つで構成される。
【００２０】
前記導電膜１５０上には、異方性導電体４００が位置する。
【００２１】
前記異方性導電体４００は、表示素子が形成された領域の周辺部に位置する非発光領域に設置される。なお、非発光領域に一つ以上設置されても良い。また、前記異方性導電体４００は、パッド部２３０のグランド端子（即ち、パッド・グランド端子）２３０aと繋がれる。
【００２２】
前記異方性導電体４００は、伝導性物質部分４１０と非伝導性物質４２０とからなるゼブラ(Zebra)である。
【００２３】
基板２００は、前記異方性導電体４００と接するベゼル(Bezel)３００に装着される。前記ベゼル３００は、伝導性物質からなる。また、 前記ベゼル３００は、前記異方性導電体４００と接する部位に導電膜がパターニングされており、 前記パターニングされた導電膜が外部と繋がれる。
【００２４】
したがって、 平板表示装置に生じる静電気は、前記導電膜１５０に沿って前記異方性導電体物質４００へ移動することになる。そして、 前記異方性導電体４００へ移動した静電気は、前記ベゼル３００を通じて外部に放出される。これにより、 平板表示装置に生じた静電気は、前記表示素子に影響を与えず、外部に抜け出ることになり、 表示素子の画素を安全に保護することができる。
【００２５】
また、 グランド端子２３０ａは、前記異方性導電体４００を通じてベゼル３００と繋がれる。したがって、 FPC（Flexible Printed Circuit）のような外部資材なしに、平板表示装置に生じた静電気は、平板表示装置内の回路に影響を与えず、外部に抜け出ることができるようになるので、より安定に静電気から表示素子を保護できるようになる。
【００２６】
特に、前記表示素子がIPSモードの液晶を備える場合、外部の静電気により液晶の配列に不都合が発生する不良を防止できるようになる。
【００２７】
図３Ａ及び図３Ｂは、IPSモードの液晶表示素子のオン・オフ駆動を示す断面図である。
【００２８】
図３Ａは、IPSモードの液晶表示素子のオフ状態を示すもので、 画素電極２１２と共通電極２１０との間に電界が印加されていない場合を示すものである。偏光膜１０５、 ２０５が位置する基板２００と封止基板１００との間には、液晶１２１が位置する。前記液晶１２１は、電界が印加されていない状態で基板に平行に配列される。
【００２９】
図３Ｂは、前記液晶表示素子のオン状態を示すもので、前記画素電極２１２と共通電極２１０との間に電界を印加したものである。図示されたように、前記液晶１２１に電圧を印加すれば、前記液晶は、前記基板２００に水平に回転する（即ち、駆動される）。すなわち、 電圧を印加する場合、基板に平行な面内で回転をしながらオン状態になる。
【００３０】
したがって、前記液晶１２１が駆動される状態で、前記構造、すなわち、封止基板１００上に位置する導電膜１５０と異方性導電体４００とベゼル３００とにより静電気が外部に放電されるので、 静電気と関係なく、前記横電界によって液晶は駆動されることができる。
【００３１】
図１及び図２を参照して、本発明の実施例による平板表示装置の製造方法を説明すれば、基板２００上に表示素子１２０を形成する。前記表示素子１２０は、液晶表示素子で形成され、液晶表示素子は、IPSモードの液晶１２１で構成される。
【００３２】
詳しく説明すると、前記基板２００上に導電膜を積層及びパターニングしてゲート電極、 ゲートパッド及び共通電極を形成する。そして、その上部にゲート絶縁膜を積層し、 前記ゲート絶縁膜上に半導体層を形成する。前記半導体層上にソース電極及びドレイン電極を含む配線層を形成する。即ち、基板２００上に共通電極２１０、画素電極２１２、パッド部２３０、及びグランド端子２３０ａを形成する。
【００３３】
以後、カラーフィルター及びブラックマトリックスを備える封止基板１００を用意し、前記基板２００上に配置した後、これらの間に液晶１２１を注入する。前記液晶を注入した後、前記基板２００及び封止基板１００をシール材１１０を使って封止し、 前記封止基板１００上に偏光膜１０５及び導電膜１５０を形成し、基板２００の裏面に偏光膜２０５を形成する。
【００３４】
この時、前記封止基板１００は、組立ての前に、表面に偏光膜１０５及び導電膜１５０を形成することができる。前記導電膜１５０は、透明である。
【００３５】
したがって、 前記表示素子から発生した光を通過させることができる。なお、前記導電膜１５０は、ITO、IZO、IO、TO及びZnOのうち、何れか１つで構成される。
【００３６】
前記導電膜１５０上に異方性導電体４００を形成する。前記異方性導電体４００は、非発光領域に形成される。前記異方性導電体４００は、側面が非伝導性物質４２０で構成され、内部は伝導性物質部分４１０で構成され、導電膜１５０とベゼル３００とを電気的に連結する。
【００３７】
前記異方性導電体４００と接するように前記封止基板１００が形成された基板２００をベゼル３００に装着する。前記ベゼル３００は、伝導性物質からなる。また、 前記ベゼル３００は、前記異方性導電体４００と接する部位に導電膜がパターニングされており、 前記パターニングされた導電膜が外部と繋がれる。
【００３８】
したがって、 平板表示装置に生じる静電気は、前記導電膜１５０に沿って前記異方性導電体物質４００へ移動することになり、 前記異方性導電体４００へ移動した静電気は、前記ベゼル３００を通じて外部に放出される。これにより、 平板表示装置に生じた静電気は、前記表示素子に影響を与えず、外部に抜け出ることになり、 表示素子の画素を安全に保護することができる。
【００３９】
また、 前記表示素子１２０の形成時に、発光領域の外にパッド部２３０、グランド端子２３０ａを形成することができる。なお、パッド部２３０、グランド端子２３０ａは、前記異方性導電体４００を通じてベゼル３００と繋がれる。
【００４０】
したがって、FPCのような外部資材なしに、平板表示装置に生じた静電気は、平板表示装置内の回路に影響を与えず、外部に抜け出ることができるようになるので、より安定に静電気から表示素子を保護できるようになる。
なお、上記では、本発明の望ましい実施例を参照して説明したが、本実施例は、特許請求の範囲に記載の本発明の思想及び領域から逸脱しない範囲内において様々に修正及び変更されうる。
【図面の簡単な説明】
【００４１】
【図１】本発明の実施例による平板表示装置を示す平面図である。
【図２】図１のＩ-Ｉ'に対する断面図である。
【図３Ａ】IPSモードの液晶表示素子のオフ状態を示す断面図である。
【図３Ｂ】IPSモードの液晶表示素子のオン状態を示す断面図である。
【符号の説明】
【００４２】
１００ : 封止基板、              ３００ : 基板
１０５、 ２０５ : 偏光膜、       ２１０ : 共通電極
４００ : 異方性導電体、          １１０ : シール材、
３００ : ベゼル、                １５０ : 透明導電膜
【図１】
2006146155.tif 000003
【図２】
2006146155.tif 000004
【図３Ａ】
2006146155.tif 000005
【図３Ｂ】
2006146155.tif 000006